(57)【要約】【課題】本発明は制御オペレーションシステムの運用管理システムに関し、制御オペレーションシステムへのデータの再投入の必要がなく、業務完了後のフィードバックを迅速に行なうことができる制御オペレーションシステムの運用管理システムを提供することを目的としている。【解決手段】オペレーションシステム５０と、該オペレーションシステム５０が接続されたネットワークマネージメントシステム４０と、該ネットワークマネージメントシステム４０と接続されたスケジュール管理システム３０と、により構成され、前記スケジュール管理システム３０よりネットワークマネージメントシステム４０に対して作業の指示を行なうと、前記ネットワークマネージメントシステム４０は、オペレーションシステム５０を制御して、スケジューリング管理、データチェックを実施するように構成する。【選択図】　　　図１
2004140547.tif 000002
【特許請求の範囲】
【請求項１】
少なくとも１以上のネットワークエレメントが接続されたオペレーションシステムと、
該少なくとも１以上のオペレーションシステムが接続されたネットワークマネージメントシステムと、
該ネットワークマネージメントシステムと接続されたスケジュール管理システムと、
により構成され、
前記スケジュール管理システムよりネットワークマネージメントシステムに対して作業の指示を行なうと、前記ネットワークマネージメントシステムは、オペレーションシステムを制御して、スケジューリング管理、データチェックを実施することを特徴とする制御オペレーションシステムの運用管理システム。
【請求項２】
前記作業指示により、ネットワークマネージメントシステムはスケジュール管理業務内の実施業務を自動生成してデータベース化することを特徴とする請求項１記載の制御オペレーションシステムの運用管理システム。
【請求項３】
作成される前記データベース内の実施業務を、制御オペレーションシステムの制御画面とリンクし、スケジュール管理画面より各業務画面を呼び出すことを特徴とする請求項２記載の制御オペレーションシステムの運用管理システム。
【請求項４】
作成される前記データベースのアイテムの重複チェックを行なうことを特徴とする請求項２記載の制御オペレーションシステムの運用管理システム。
【請求項５】
担当者毎にスケジュールを振り分け、業務完了後には前記スケジュール管理システムにフィードバックをかけることを特徴とする請求項２記載の制御オペレーションシステムの運用管理システム。
【発明の詳細な説明】
【０００１】
【発明の属する技術分野】
本発明は制御オペレーションシステムの運用管理システムに関する。
【０００２】
【従来の技術】
制御オペレーションシステムを用いて回線開通業務として、セクション・パス・回線名称（物理アドレス込み）で管理／制御している場合（ケース１）と、物理アドレスのみで管理／制御している場合（ケース２）とがある。ここで、制御オペレーションシステムとは、オペレーションシステム（ＯＰＳ），ネットワークマネージメントシステム（ＮＭＳ）を総称したものである。
【０００３】
図１９はネットワークモデルの例を示す図で、帯域の割り当てを示している。図において、１はＰ地点に配置された端末、２はＱ地点に配置された端末である。３はネットワークエレメント（ＮＥ）である。ＮＥとしては、例えば伝送装置が用いられる。端のＮＥ３（＃１のＮＥ）は端末１と接続されている。図中各ＮＥ３間を接続する線のうち、実線は既に開通済みの回線、破線は未開通の回線である。２は端のＮＥ３（＃ｎのＮＥ：未開通）と接続される端末である。
【０００４】
＃１のＮＥはａとｂとにより構成され、＃２のＮＥはｃとｄとにより構成され、＃ｎのＮＥはｅとｆとにより構成されている。ここで、各ＮＥの構成要素であるａ〜ｆ内に示された○はＮＥの物理位置（アドレス）を示している。
【０００５】
また、セクションＡは例えば６００Ｍの帯域を持つ物理的ケーブルであり、パスＡはその帯域を占めるものである。例えば、パスＡの帯域が１５０Ｍである場合には、セクションＡに対してパスＡが４本組み込まれることになる。更に、回線が６４Ｋである場合には、１つのセクションに対して１５０Ｍ÷６４Ｋ＝２．３４×１０３本の回線が組み込まれることになる。
【０００６】
図２０は制御オペレーションシステムでの管理状態を示す図である。図はデータベースでの管理状態を示している。ケース１の場合、セクション・パス・回線名称で管理／制御する。管理されるのは、名称データと、物理アドレスと、収容データである。一方、ケース２の場合物理アドレスのみで管理／制御される。この場合において、未開通（予定）のセクション・パス・回線情報／物理アドレス情報はデータベース（ＤＢ）には格納されない。
【０００７】
回線開通業務において、実際の設定／制御の行為は、制御オペレーションシステムを操作して行なう。但し、設定／制御を行なうためには、各作業担当者（制御オペレーションシステムを操作する人）に対して作業指示を出す。作業指示は予め作業計画を立てるものとする。
【０００８】
図２１は従来システムの動作（パターン１）を示す図である。先ず、ネットワーク設計書１０の作成を行なう。指示者は、ネットワーク設計書１０により作業内容の抽出を行ない、実作業レベルの作業指示書の作成、及び作業スケジュールの計画を行なう（▲１▼）。
【０００９】
作業指示者は、この指示書１１を紙又は電子メールを用いて作業担当者に通知る。担当者は、指示書１１の内容から、対象業務として操作１→３→４→２を実施する（▲２▼）。指示書が紙又は電子メールの場合、作業担当者は、作業指示書１１に基づき、制御オペレーションシステム２０の該当業務機能を用いて設定／制御を実施する。この場合において、設定／制御業務として、登録業務、試験業務、切替業務がある。
【００１０】
図２２は従来システムの動作（パターン２）を示す図である。この例では、作業担当者の代わりにスケジュール管理システム３０が対象業務の操作を行なうようになっている。スケジュール管理システム３０と制御オペレーションシステム２０とはデータリンクされている。指示者の指示により、スケジュール管理システムに指示内容が通知され（▲１▼）、スケジュール管理システム３０は指示内容に従って、制御オペレーションシステム２０を操作する（▲２▼）。
【００１１】
ここで、制御オペレーションシステムとは、前述したようにオペレーションシステム（ＯＰＳ）とネットワークマネージメントシステム（ＮＭＳ）の総称をいう。この種のシステムにおける先行技術としては、伝送路設計システムにおいて、伝送路設備の減設に関する減設設計情報と、伝送路設備の増設に関する増設設計情報とを記憶部に記憶させておき、これら減設設計情報や増設設計情報を、パターン認識部により、同一の収容位置に対する減設設定情報と増設設定情報とを関連付けるようにしたシステムが知られている（例えば特許文献１参照）。
【００１２】
また、ネットワークに接続するための機器の種類、ネットワークへの接続形態、ネットワークシステムでの動作形態を記述するパラメータファイルを作成する場合、ユーザインタフェースを用い、ネットワーク全体に係わるようなネットワークアドレス等のパラメータ値が正しく設定されているかどうかを設定時自動的に判断可能となる機構を設けたシステムが知られている（例えば特許文献２参照）。
【００１３】
図２３は従来システムの概要図である。図１９、図２１と同一のものは、同一の符号を付して示す。図において、３０はスケジュール管理システムであり、データベース（ＤＢ）３１が内蔵されている。このＤＢ３１は外部に設けてもよい。このスケジュール管理システム３０は、作業指示者が操作する。
【００１４】
４０はネットワークマネージメントシステム（ＮＭＳ）である。４１は該ＮＭＳ４０に内蔵されるデータベース（ＤＢ）である。該ＤＢ４１は、ＮＭＳ４０の外部に設けるようにしてもよい。４２はＮＭＳ４０に接続された操作用のＷｅｂ端末である。
【００１５】
５０はＮＭＳ４０に接続される複数のオペレーションシステム（ＯＰＳ）である。５１は該ＯＰＳ５０に接続される操作用のＷｅｂ端末である。３はＯＰＳ５０に接続されるネットワーク（ＮＥ）である。該ＯＰＳ３は、ＮＥ３の特性により分けられている。
【００１６】
このように構成されたシステムにおいて、作業指示者は、スケジュール管理システム３０に対して、作業内容及び対象トレイル（トレイルは名前の定義）をＤＢ３１に登録する。次に、指示者は紙又は電子メールにより作業者に対して作業指示を出す。作業者は、この指示を受けると、指示内容により、Ｗｅｂ端末を操作して実行すべき業務（画面）を判断し、対象トレイルを入力する。入力データはＤＢ４１に登録される。作業者は対象トレイルを入力又は選択して作業を実施する。
【００１７】
ＮＭＳ４０は、ＯＰＳ５０を介してＮＥ３を動作させる。具体的には、ＮＭＳ４０は、ＯＰＳ５０の画面を呼び出すことにより、ＮＥ制御を実施する（図中の太い実線）。ＮＭＳ４０からＯＰＳ５０へ向けて通知された制御指令は、ＯＰＳ５０で実行され、その結果がＮＭＳ４０へ戻される。作業者は、例えば回線開通業務を実施した後、実施結果を指示者へ返す。
【００１８】
【特許文献１】
特開２０００−２５３１４６号公報（第４頁、５頁、図１）
【特許文献２】
特開平７−２１０４８２号公報（第６頁、図３、図４）
【００１９】
【発明が解決しようとする課題】
前述した従来のシステムでは、指示書（紙）／電子メールによる作業指示を行なうが、この場合、制御オペレーションシステムとのデータ連携機能がないため、制御オペレーションシステムへのデータ再投入が必要となる。具体的には、図２３において、作業者がＮＭＳ４０にデータを再登録することが必要となる。この場合、以下のような不具合が発生する。
▲１▼入力ミスの可能性がある。また、入力ミスによる誤制御の可能性がある。
▲２▼データ投入のコストがかかる。
▲３▼作業担当者の技量により、作業完了までの時間にむらがある。
【００２０】
また、制御オペレーションシステムとスケジュール管理システム３０との間に連携がある場合、前述した問題は発生しないが、新規ＮＥ追加により、制御オペレーションシステムに業務が追加になった場合は、従来のスケジュール管理システム３０では、回線開通業務のシーケンスが固定であるため、シーケンスを変更するのに莫大な開発コストがかかるという問題がある。
【００２１】
また、従来のシステムでは、業務完了後のフィードバックに時間がかかるという問題がある。例えば、スケジュール（指示）以外の業務を実施した場合のフィードバック方法がない。また、指示書（紙）／電子メール指示に基づき設定／制御が正しく実施されたかどうかの確認が人による判断のため、迅速に確認できないという問題がある。
【００２２】
本発明はこのような課題に鑑みてなされたものであって、制御オペレーションシステムへのデータの再投入の必要がなく、業務完了後のフィードバックを迅速に行なうことができる制御オペレーションシステムの運用管理システムを提供することを目的としている。本発明の目的を列挙すれば、以下の通りである。
▲１▼スケジュール管理データと制御オペレーションシステムとのデータ連携
作業指示者からのスケジュールデータを制御オペレーションシステムに引き継ぎ、入力ミス、誤制御を防止する。また、スケジュールデータの整合性チェックの実施も行なう。
▲２▼スケジュール管理からの実施業務（制御オペレーションシステム）のナビゲーション
作業担当者の技量に左右されないようにするため、実施業務のナビゲーションを自動生成し、使いやすい操作の提供をめざす。
▲３▼新規ＮＥ追加による制御オペレーションシステムの業務追加発生時にも柔軟な対応が可能である。新規ＮＥ追加による制御オペレーションシステムに業務が追加されても、スケジュール管理システムの処理を変更しなくても運用ができること。
▲４▼制御オペレーションシステムで設定／制御実施後の結果フィードバック
スケジュール管理されたデータに基づき設定／制御を実施し、結果（完了）を作業指示者にフィードバックする必要がある。また、スケジュールにはない緊急な設定／制御を作業担当者が実施した場合の結果を指示者にフィードバックすること。
▲５▼スケジュールから実施結果フィードバックまでの時間短縮
作業指示者がスケジュール投入を行ない、作業担当者が制御オペレーションシステムを用いて実業務を実施し、完了結果を指示者へフィードバックするまでの時間を短縮すること。
【００２３】
【課題を解決するための手段】
（ａ）スケジュール管理データと制御オペレーションシステムとのデータ連携
作業指示者からのスケジュール指示データ（予定日、実施日、セクション・パス・回線名称、トレイル区分、物理アドレス、担当者）の統一を図り、スケジュール管理データベース（ＤＢ）に格納する。
【００２４】
ＤＢに格納する際に、制御オペレーションシステム内にあるセクション・パス・回線ＤＢ、物理アドレスＤＢを参照し、スケジュール管理データのセクション・パス・回線名称との重複チェックを行なう。
【００２５】
同様に、物理アドレスのチェックも行なうため、データ整合性チェックによるデータの保証を実現可能とする。
（ｂ）スケジュール管理からの実施業務（制御オペレーションシステム）のナビゲーション
スケジュール管理ＤＢへの付加情報（自動生成）として、実施業務（制御オペレーションシステムでの業務）の反映を行なう。その場合、実施業務（セクション登録、試験制御、回線登録、切替）と制御オペレーションシステムへの画面を呼び出すパラメータも同時に付加する。
【００２６】
このような動作を実施することにより、実施業務より制御オペレーションシステムの各業務画面（セクション登録、試験制御、回線登録、切替）との連携が可能となるため、作業担当者の技量に左右されず、使いやすい操作の提供を実現する。
【００２７】
連携する場合、スケジュール管理データのセクション・パス・回線名称、物理アドレスの引き継ぎを行なうことにより、制御オペレーションシステムへのデータの引き継ぎミス、誤制御を防止することができる。
（ｃ）新規ＮＥ追加による制御オペレーションシステム業務追加発生時にも柔軟に対応する制御
新規ＮＥの追加により、制御オペレーションシステムでの業務画面が追加となっても、スケジュール管理においては、（ｂ）に記載している制御オペレーションシステムへの画面を呼び出すパラメータの追加をテーブルに行なうだけで、スケジュール管理システムの処理変更なく容易に対応ができる。
【００２８】
同様に、制御オペレーションシステムの追加の場合も処理の変更なく容易に対応ができる。
（ｄ）制御オペレーションシステムで設定／制御実施後の結果フィードバック
作業者がスケジュール通りに制御オペレーションシステムを用いて設定／制御を実施した場合、制御オペレーションシステムでの制御結果を基に、スケジュール管理ＤＢに結果を格納することにより、即座に結果（完了）を反映することができる。
【００２９】
また、スケジュールにない緊急な設定／制御を制御オペレーションシステムにより実施した場合には、セクション・パス・回線名称、トレイル区分、物理アドレス、担当者、結果（完了）をスケジュール管理ＤＢに格納反映させる。
（１）図１は本発明の原理ブロック図である。図２３と同一のものは、同一の符号を付して示す。図において、３０はスケジュール管理システム、３１は該スケジュール管理システム３０内に設けられたデータベース（ＤＢ）、３２はスケジュール管理システム３０と接続され、作業指示者が操作するＷｅｂ端末である。ＤＢ３１は、スケジュール管理システム３０の外部に設けるようにしてもよい。
【００３０】
４０はネットワークマネージメントシステム（ＮＭＳ）、４１は該ＮＭＳ４０内に設けられたデータベース（ＤＢ）、４２は該ＮＭＳ４０と接続される操作用のＷｅｂ端末である。ＤＢ４１はＮＭＳ４０の外部に設けてもよい。前記Ｗｅｂ端末４２は、作業者が操作する。
【００３１】
３５は、スケジュール管理システム３０とネットワークマネージメントシステム４０間を接続するローカルエリアネットワーク（ＬＡＮ）である。
【００３２】
５０はＮＭＳ４０と接続される複数のオペレーションシステム（ＯＰＳ）、５１は該ＯＰＳ５０と接続されるＷｅｂ端末である。３はこれらＯＰＳ５０と接続されるネットワークエレメント（ＮＥ）である。ＯＰＳ５０には、少なくとも１以上のＮＥ３が接続され、ＮＭＳ４０には少なくとも１以上のＯＰＳ５０が接続されている。
【００３３】
このように構成されたシステムにおいて、作業指示者がＷｅｂ端末３２から作業者に対して作業の指示を行なうと、この作業指示はＬＡＮ３５を経由してＮＭＳ４０に転送される。この時に、作業指示者が入力した各種のデータはＤＢ３１に登録され、更にＬＡＮを介してＮＭＳ４０に転送され、ＮＭＳ４０のＤＢ４１に格納される。
【００３４】
ＮＭＳ４０は、各ＯＰＳ５０に接続されているＮＥ３を制御し（図中太い実線）、制御結果はＯＰＳ５０からＮＭＳ４０に返される（図中破線）。このように、本発明によれば、制御オペレーションシステムへのデータの再投入の必要がなく、業務完了後のフィードバックを迅速に行なうことができる制御オペレーションシステムの運用管理システムを提供することができる。
（２）請求項２記載の発明は、前記作業指示により、ネットワークマネージメントシステムはスケジュール管理業務内の実施業務を自動生成してデータベース化することを特徴とする。
【００３５】
このように構成すれば、スケジュール管理業務内の実施業務を自動生成するため、作業者の能力に左右されずに確実なデータベースを作成することができる。
（３）請求項３記載の発明は、作成される前記データベース内の実施業務を、制御オペレーションシステムの制御画面とリンクし、スケジュール管理画面より各業務画面を呼び出すことを特徴とする。
【００３６】
このように構成すれば、回線開通業務の作業の操作性が向上する。
（４）請求項４記載の発明は、作成される前記データベースのアイテムの重複チェックを行なうことを特徴とする。
【００３７】
このように構成すれば、ＮＭＳが作成されるデータベースの重複チェックを行なうので、重複データがデータベースに誤って登録されることがなくなる。
（５）請求項５記載の発明は、担当者毎にスケジュールを振り分け、業務完了後には前記スケジュール管理システムにフィードバックをかけることを特徴とする。
【００３８】
このように構成すれば、担当者毎に振り分けられた作業結果をスケジュール管理システムにフィードバックすることが可能となる。
【００３９】
またこの発明において、各担当者が、スケジュール管理外の業務を実施した際、スケジュール管理システムにフィードバックをかけることを特徴とする。
【００４０】
このように構成すれば、緊急の管理外の業務を実施したことを作業指示者に通知することができる。
【００４１】
【発明の実施の形態】
以下、図面を参照して本発明の実施の形態例を詳細に説明する。
【００４２】
本発明は、以下の構成よりなる。
▲１▼作業指示者より回線設計データ投入におけるスケジュール作成
▲２▼データを基に業務の画面遷移を作成するナビゲーション作成ロジック
▲３▼ナビゲーションデータより制御オペレーションシステムに連携する画面連携ロジック
▲４▼業務完了のＤＢフィードバック処理
図２は本発明の動作の概要図である。図１と同一のものは、同一の符号を付して示す。図のａ〜ｈは動作の流れの順番を示している。作業指示者は、スケジュール管理システム３０を利用して作業指示を投入する。この際に、指示者はデータベース３１内の収容データ３４、名称データ３５、物理アドレスデータ３６を参照する。作業指示は、例えばＡＡＡ業務は担当Ａさん、ＢＢＢ業務は担当Ｂさんという具合に行なう。
【００４３】
指示者から投入された情報はスケジュールデータ３１ａとしてデータベース３１に格納される。このスケジュールデータ３１ａは、スケジュール管理が可能である。一方、ナビゲーション作成ロジック６０は、スケジュールデータ３１ａを基に、自動的に操作のナビゲーションを作成する。ｅが操作画面である。この画面では、実施日と、業務と、操作と、担当と、結果が表示されている。ここで、“操作”と表示されているところに記載されている○で囲まれた数字がナビゲーションであり、操作の順番を示している。例えば、業務がＡＡＡの場合、▲１▼を操作して、次に▲８▼を操作する。
【００４４】
作業担当者は、この表示を見ながら作業を行なう。図のｆが作業画面である。該作業画面は、担当者毎に分かれて表示させる。作業画面には、実施日と、業務ＡＡＡと、操作▲１▼→▲８▼と結果より構成されている。
【００４５】
ｆが作業者Ａの端末の表示部に表示された内容である。作業画面には、実施日と、業務と、操作と、結果が表示されている。ここで、作業者が操作部の表示をクリックすると、この画面の操作部の表示が制御オペレーションシステムＡの画面に拡大表示される。なお、制御オペレーションシステムは、Ａのみならず、制御オペレーションシステムＢ、制御オペレーションシステムＣ等が複数存在する。
【００４６】
制御オペレーションシステムのパス設定表示の回線名称は、制御オペレーションシステムに接続されたデータベース（ＤＢ）からデータが読み出されて自動入力になり、ＵＮＩＴも、ＳＬＯＴも自動入力になる。また、制御オペレーションシステムの試験表示は、回線名称が自動入力になる。
【００４７】
６４は制御オペレーションシステムの収容データ、６５は名称データ、６６は物理アドレスデータとなる。作業者が作業することにより、必要なデータが収容データ６４、名称データ６５、物理アドレスデータ６６に格納される。この場合において、回線名称は６４〜６６の各データベースに自動入力されるので、誤制御の可能性がない。即ち、スケジュール管理管理業務内の実施業務を自動生成するため、作業者の能力に左右されずに確実なデータベースを作成することができる。
【００４８】
作業が終了すると、結果がスケジュール管理にフィードバックされ、スケジュール管理ｅの結果部に「完了」が書き込まれる。指示者は、スケジュール管理ｅから作業結果を認識することができる。
【００４９】
一方、制御オペレーションシステム７０のデータベースの収容データ６４、名称データ６５と、物理アドレスデータ６６と、スケジュール管理システム３０内のデータベースの収容データ３４、名称データ３５、物理アドレスデータ３６とは、重複データがないかどうかがチェックされる。
【００５０】
このように、本発明によれば、制御オペレーションシステムへのデータの再投入の必要がなく、業務完了後のフィードバックを迅速に行なうことができる。
【００５１】
スケジュール作成では、作業指示者の投入データからスケジュール管理データを作成する。図３はスケジュール管理データの構成例を示す図である。このようなスケジュール管理項目をスケジュール管理ＤＢ３１（図１参照）で管理することとする。作業指示者は、この内容をスケジュール管理画面より、予定日、業務、とトレイル区分、ネットワーク区分、セクション・パス・回線名称、アドレスの入力出力、担当者、操作ナビゲーション、実施日、結果を投入する。
【００５２】
投入は、文字の直接入力もしくは選択肢からの選択とする。この中で、業務は画面遷移のナビゲーション作成単位であり、予め定義されている業務が選択可能とする。予定日は、業務を行なう予定の期日を意味し、画面より入力可能とする。回線システムとの連携があり、予め予定日が決定している場合には、回線設計システムのＤＢと連携して選択可能とする。
【００５３】
ネットワーク区分は、管理するネットワークの種別である。例えば、１：ＳＤＨ、２：ＡＴＭ、３：ＩＰよりなる。ネットワーク区分を複数の制御オペレーションシステムに画面の連携を行なう場合の識別として使用する。トレイル名称は、セクション・パス・回線の名称であり、画面上より入力もしくは選択を行なう。回線設計システムと連携があり、予めトレイル名称が決定している場合は回線設計システムのＤＢと連携し、選択可能もしくは修正可能とする。
【００５４】
アドレスとは、管理するセクション、パス、回線の収容位置のアドレスであり、装置の入側、出側のアドレスを複数登録して管理することとする。図１９に示すネットワークモデルの場合、回線に対して、アドレス１（入）＝ａ、アドレス１（出）＝ｂ、アドレス２（入）＝ｃ、アドレス２（出）＝ｄ、アドレス３（入）＝ｅ、アドレス３（出）＝ｆを管理する。
【００５５】
指示者は、実際に作業を行なう作業担当者を選択する。担当者は、システム内で予め管理されているものとする。なお、スケジュール管理データは、アドレスが複数存在する場合には、端点数分（ｎ）のアドレスを格納するようになっている。
【００５６】
図４は指示者用のスケジュール管理画面を示す図、図５は作業者用の登録画面を示す図である。指示者用のスケジュール管理画面は、予定日、業務、トレイル区分、ネットワーク区分、名称、アドレス（入）、アドレス（出）、担当者、操作ナビゲーション、実施日、結果より構成されている。作業者用の管理画面は、予定日、トレイル区分、業務区分、ネットワーク成分、名称、アドレス１（入）、アドレス（出）、操作ナビゲーション、結果より構成されている。この場合において、「手入力」の部分は指示者が入力する。
【００５７】
操作ナビゲーションは、画面の遷移の操作順番を表したものを意味し、ナビゲーション作成ロジック６０（図２参照）にて生成を行なう。操作ナビゲーションの生成結果は、スケジュール管理画面（指示者用）、スケジュール管理画面（作業者用）に自動反映する。実施日及び結果は、操作ナビゲーションにおける操作の実施日及び結果であり、制御オペレーションシステムの実施結果をフィードバックしてスケジュール管理画面（指示者用）、スケジュール管理画面（作業者用）に自動反映する。
【００５８】
このようにすれば、担当者毎に振り分けられた作業結果をスケジュール管理システムにフィードバックすることが可能となる。
【００５９】
図６において、作業者は管理オペレーションシステムのセクション登録、試験制御と画面連携し、スケジュール管理ＤＢ３１とデータリンクして、作業を行なう。この時、作業者のＷｅｂ端末には、スケジュール管理画面が表示されており、作業者が操作ナビゲーション（ここでは、セクション登録→試験）を操作することにより、セクション登録画面と、試験制御画面が表示される。
【００６０】
本発明では、スケジュール作成における重複チェックを、スケジュール管理画面にてスケジュールを投入した時点で行なう。重複チェックは、トレイル名称における重複チェック、トレイルを収容するアドレスに対する重複チェックの２通りを行なう。
【００６１】
図７は重複チェックイメージの説明図である。図に示す例は、図２０に示す管理状態の内のケース１の場合を示している。図には、指示者用のスケジュール管理画面と、ネットワークマネージメントシステムの名称データと物理アドレスの様子を示している。
【００６２】
指示者が名称データに「パスＡ」を用いた場合、すでに４０の名称データ内に「パスＡ」があるため重複異常と判断する。物理アドレスに「セクションＡ−ａ」を用いた場合、すでに４０の物理アドレス内に「セクションＡ−ａ」があるため、システムは重複異常と判断する。この重複異常は、ＬＡＮを介して指示者に通知される。
【００６３】
トレイル名称における重複チェックでは、制御オペレーションシステムに名称データとして、トレイル名称管理しているものとし、「図２０の制御オペレーションシステムでの管理状態」で、投入したトレイル名称が制御オペレーションシステム内に同一トレイル名称があるかどうかの確認を行なう。同一名称が存在する場合には投入できないようにする。
【００６４】
トレイルを収容するアドレスに対する重複チェックは、投入した業務がトレイルの新規登録の場合に行なう。制御オペレーションシステムにおいて、トレイル名称とアドレスの対応が管理されているものとし、スケジュール管理画面にて投入したアドレスがすでに制御オペレーションシステムにて登録済みかどうかのチェックを行なう。また、同一アドレスが存在する場合は投入できないようにする。
【００６５】
このように、本発明によれば、作成されるデータベース内の実施業務を制御オペレーションシステムの制御画面とリンクし、スケジュール管理画面より各業務画面を呼び出すことにより、回線業務の作業の操作性が向上する。
【００６６】
また、ネットワークマネージメントシステム（ＮＭＳ）が作成されるデータベースの重複チェックを行なうので、重複データがデータベースに誤って登録されることがなくなる。
【００６７】
次に、ナビゲーション作成ロジックについて説明する。ナビゲーション作成ロジックは、スケジュール作成において投入したスケジュール管理の情報から操作ナビゲーションを作成する部分である。図８はナビゲーション作成ロジックのデータフローを示す図である。
【００６８】
スケジュール管理における入力項目（例えば業務名、回線名称等）を入力すると、ナビゲーション作成ロジック６０は、スケジュール管理画面からの情報投入時に起動する（▲１▼）。この情報を元に、ナビゲーション定義ファイル７４を参照し（▲２▼）、指定された条件にマッチする操作ナビゲーションをスケジュール管理データ７５に生成して（▲３▼）、スケジュール管理画面に自動反映する（▲４▼）。画面連携部７６は、スケジュール管理データ７５を参照し、試験表示画面、パス設定画面を生成する（▲５▼）。
【００６９】
ナビゲーション定義ファイル７４は、テキスト形式等の容易に編集できるレコード形式の記述項目を定義する。図９はナビゲーション定義ファイルの記述項目を示す図である。作業者の投入情報に対して、「業務名」、「条件１」、「条件２」、「条件３」、「条件４」、「条件５」の全てが合致するレコードがある場合に、そのレコードに記載されているナビゲーション１〜ナビゲーションｎの画面遷移を生成する。
【００７０】
複数レコードがヒットした場合には、どれか一つの遷移を結果として反映することとする。定義ファイルの記述項目においては、業務名は、一連の画面遷移を伴う業務の識別とする。条件１〜条件５には、それぞれネットワーク区分、トレイル区分、トレイル名、アドレス（入）、アドレス（出）の値もしくは、「すべて（ワイルドカード）」を条件として定義することができる。
【００７１】
「すべて（ワイルドカード）」を定義した場合は、どのような値がスケジュール作成にて投入されても、その条件に合致したものとする。業務名、条件１〜条件５が同一の場合は定義不可とする。業務名が同一でも、条件１〜条件５が異なる場合は、複数レコードを定義可能とする。
【００７２】
ナビゲーション１〜ナビゲーションｎは、画面遷移を行なう画面の情報を定義する。制御システム名は、その業務を行なうための制御オペレーションシステムを表す識別とする。引数は遷移する際の引数の種類を表す。引数は複数定義可能とする。
【００７３】
図１０はナビゲーション定義ファイルの記述の例を示す図である。この例では、ＡＴＭにおけるセクション開通の業務において、トレイル区分がセクションの場合であれば、全てシステムＡのセクション登録画面、セクション開通試験というナビゲーションを生成する。
【００７４】
画面遷移ロジックでは、作業者用のスケジュール管理画面のナビゲーションの選択により、業務の一部の操作である制御システムの画面を表示させる。図１１は定義ファイル画面連携ロジックの説明図である。
【００７５】
端末８０において、作業者用のスケジュール管理画面８１のナビゲーションの選択を行なうと、画面遷移イベントにより画面連携部９１を起動する（▲１▼）。画面連携部９１は、スケジュール管理データ９２を参照し、ナビゲーションの引数情報を取得する（▲２▼）。
【００７６】
次に、スケジュール管理データ９２の操作ナビゲーション内の制御名、画面名を識別して、起動方法データ９３から起動方法を取得する（▲３▼）。起動方法は、制御システム名、画面名、連携実行詳細を持つ。制御システム名、画面名は、スケジュール管理データにおける操作ナビゲーション内の制御システム名、画面名と同一のものとする。連携実行詳細は、制御システム毎の実行方法を示す。
【００７７】
画面連携部９１からブラウザ８２に対してナビゲーションデータＡと、起動方法データＡが転送される（▲４▼）。ブラウザ８２は、スケジュール管理画面８１の操作部により起動され（▲５▼）、前記画面連携部９１から転送されてきたデータを基に制御システム１００である制御システムＡにナビゲーションデータＡと起動方法データＡが転送される（▲６▼）。制御システムＡで、処理が終了すると、該制御システムＡからブラウザ８２に向けて起動画面が通知される（▲７▼）。例としては、ＨＴＭＬ形式の画面呼び出しの場合は、ＵＲＬ名を記述することができる。
【００７８】
業務完了後のデータベース３１（図１参照）へのフィードバックは、作業者のスケジュール管理画面から結果反映のオペレーションをトリガに、スケジュール管理ＤＢ３１（図３参照）の実施日と結果の管理項目を更新する。
【００７９】
実施日はシステム時計の日付を格納し、結果は作業者が、作業結果を作業者用スケジュール管理画面からの状態を選択（完了／途中／中止等）し、選択された状態を格納する。図１２はスケジュール管理画面からスケジュール管理ＤＢへの結果反映の説明図である。実施日には、システム時計の情報を基に実施日を格納し、結果にはスケジュール管理画面の結果を格納する。
【００８０】
スケジュール外の緊急作業が制御オペレーションシステムで発生した場合は、指示者用のスケジュール管理画面から緊急作業のオペレーションをトリガに、スケジュール管理ＤＢ３１に登録されている名称データと、制御オペレーションシステムに登録されている名称データを比較し、制御オペレーションシステムに登録されていない名称データは、緊急作業としてスケジュール管理ＤＢ３１にフィードバックする。
【００８１】
図１３は緊急作業時における結果反映の説明図である。スケジュール管理ＤＢでの管理状態と、制御オペレーションシステムでの管理状態とを比較し、パスＢがスケジュール管理ＤＢ３１に存在しないので、自動生成する。
【００８２】
図１４は作業指示者が回線設計データを投入した時のスケジュール作成フローを示す図である。先ず、作業指示者が作業指示者用スケジュール管理画面よりスケジュールデータを投入し、登録操作を実施する（Ｓ１）。次に、予定日，トレイル区分，トレイル名称，アドレス，作業者が登録されているかどうかチェックする（Ｓ２）。登録されている場合には処理を終了する。登録されていない場合には、ステップＳ１に戻り、作業指示者の操作を待つ。
【００８３】
図１５はデータをもとに業務の画面遷移を作成するナビゲーション作成フローを示す図である。先ず、登録されたスケジュールデータの業務区分，ネットワーク区分，トレイル区分，条件１，条件２，…を獲得する（Ｓ１）。次に、獲得した業務区分，ネットワーク区分，トレイル区分，条件１，条件２，…でナビゲーション定義ファイルを検索する（Ｓ２）。
【００８４】
次に、検索した結果、該当するナビゲーション定義ファイルのレコードが複数存在するかどうかどうかチェックする（Ｓ３）。複数存在しない場合には、検索されたナビゲーション定義ファイルのナビゲーション１，…，ｎのシステム名，画面名，引数を、スケジュール管理データの該当レコードに追加する（Ｓ４）。複数存在する場合には、検索されたナビゲーション定義ファイルの先頭レコードの、ナビゲーション１，…，ｎのシステム名，画面名，引数を、ナビゲーション管理データの該当レコードに追加する（Ｓ５）。
【００８５】
図１６は画面連携フローを示す図である。先ず、端末より、スケジュール管理内の画面連携部に画面推移イベントを送信する（Ｓ１）。次に、スケジュール管理内の画面連携部では、画面遷移イベント内の業務区分，ネットワーク区分，トレイル区分，条件１，条件２，…でナビゲーション定義ファイルを獲得する。また、システム名，画面名を元に、起動方法データファイルを検索し、ＨＴＭＬを獲得する（Ｓ２）。
【００８６】
次に、スケジュール管理内の画面連携部６６（図８参照）は、獲得したナビゲーション定義ファイル及び起動方法データを端末に送信する（Ｓ３）。次に、端末は、獲得したナビゲーション定義ファイル，起動方法データを元に、制御システムの業務画面を起動する（Ｓ４）。
【００８７】
図１７は作業担当者からの作業結果反映のフローを示す図である。このフローは、作業担当者により、「作業結果反映」が実施されたスケジュールデータの「結果」に状態（完了／途中／中止等）を格納する（Ｓ１）。
【００８８】
図１８は作業担当者によりスケジュールにない作業が実施された時の作業結果反映のフローを示す図である。先ず、制御システムにおいて、作業が実施された場合、制御システムは、作業対象のトレイル名称がスケジュール管理ＤＢ３１に存在するかどうかチェックする（Ｓ１）。存在する場合には処理は終了する。存在しない場合には、制御システムは、該当作業をスケジュール管理ＤＢ３１に格納する（Ｓ２）。この場合において、スケジュール管理ＤＢ３１に格納する情報は、以下のものである。
【００８９】
予定日：
業務　：
トレイル区分：その制御システムに該当するもの
トレイル名称：該当のトレイル名称
アドレス１〜ｎ：該当のアドレス
担当者：
操作ナビゲーション：
実施日：操作日時
結果：
（付記１）　少なくとも１以上のネットワークエレメントが接続されたオペレーションシステムと、
該少なくとも１以上のオペレーションシステムが接続されたネットワークマネージメントシステムと、
該ネットワークマネージメントシステムと接続されたスケジュール管理システムと、
により構成され、
前記スケジュール管理システムよりネットワークマネージメントシステムに対して作業の指示を行なうと、前記ネットワークマネージメントシステムは、オペレーションシステムを制御して、スケジューリング管理、データチェックを実施することを特徴とする制御オペレーションシステムの運用管理システム。
【００９０】
（付記２）　前記作業指示により、ネットワークマネージメントシステムはスケジュール管理業務内の実施業務を自動生成してデータベース化することを特徴とする付記１記載の制御オペレーションシステムの運用管理システム。
【００９１】
（付記３）　作成される前記データベース内の実施業務を、制御オペレーションシステムの制御画面とリンクし、スケジュール管理画面より各業務画面を呼び出すことを特徴とする付記２記載の制御オペレーションシステムの運用管理システム。
【００９２】
（付記４）　作成される前記データベースのアイテムの重複チェックを行なうことを特徴とする付記２記載の制御オペレーションシステムの運用管理システム。
【００９３】
（付記５）　担当者毎にスケジュールを振り分け、業務完了後には前記スケジュール管理システムにフィードバックをかけることを特徴とする付記２記載の制御オペレーションシステムの運用管理システム。
【００９４】
（付記６）　各担当者が、スケジュール管理外の業務を実施した際、スケジュール管理システムにフィードバックをかけることを特徴とする付記５記載の制御オペレーションシステムの運用管理システム。
【００９５】
【発明の効果】
以上説明したように、本発明によれば、以下の効果が得られる。
（１）請求項１記載の発明によれば、制御オペレーションシステムへのデータの再投入の必要がなく、業務完了後のフィードバックを迅速に行なうことができる制御オペレーションシステムの運用管理システムを提供することができる。
（２）請求項２記載の発明によれば、スケジュール管理業務内の実施業務を自動生成するため、作業者の能力に左右されずに確実なデータベースを作成することができる。
（３）請求項３記載の発明によれば、回線開通業務の作業の操作性が向上する。
（４）請求項４記載の発明によれば、ＮＭＳが作成されるデータベースの重複チェックを行なうので、重複データがデータベースに誤って登録されることがなくなる。
（５）請求項５記載の発明によれば、担当者毎に振り分けられた作業結果をスケジュール管理システムにフィードバックすることが可能となる。
【００９６】
このように、本発明によれば制御オペレーションシステムへのデータの再投入の必要がなく、業務完了後のフィードバックを迅速に行なうことができる制御オペレーションシステムの運用管理システムを提供することができる。
【図面の簡単な説明】
【図１】本発明の原理ブロック図である。
【図２】本発明の動作の概要図である。
【図３】スケジュール管理データの構成例を示す図である。
【図４】指示者用のスケジュール管理画面を示す図である。
【図５】作業者用のスケジュール管理画面を示す図である。
【図６】スケジュール管理画面を用いた操作の様子を示す図である。
【図７】重複チェックイメージの説明図である。
【図８】ナビゲーション作成ロジックのデータフローを示す図である。
【図９】ナビゲーション定義ファイルの記述項目を示す図である。
【図１０】ナビゲーション定義ファイルの記述の例を示す図である。
【図１１】定義ファイル画面連携ロジックの説明図である。
【図１２】スケジュール管理画面からスケジュール管理ＤＢへの結果反映の説明図である。
【図１３】緊急作業時における結果反映の説明図である。
【図１４】作業指示者が回線設計データを投入した時のスケジュール作成フローを示す図である。
【図１５】データをもとに業務の画面遷移を作成するナビゲーション作成フローを示す図である。
【図１６】画面連携フローを示す図である。
【図１７】作業担当者からの作業結果反映のフローを示す図である。
【図１８】作業担当者によりスケジュールにない作業が実施された時の作業結果反映のフローを示す図である。
【図１９】ネットワークモデルの例を示す図である。
【図２０】制御オペレーションシステムでの管理状態を示す図である。
【図２１】従来システムの動作（パターン１）を示す図である。
【図２２】従来システムの動作（パターン２）を示す図である。
【図２３】従来システムの概要図である。
【符号の説明】
３　ネットワークエレメント（ＮＥ）
３０　スケジュール管理システム
３１　スケジュール管理データベース（ＤＢ）
３２　Ｗｅｂ端末
３５　ＬＡＮ
４０　ネットワークマネージメントシステム（ＮＭＳ）
４１　ＮＭＳ用データベース（ＤＢ）
４２　Ｗｅｂ端末
５０　オペレーションシステム（ＯＰＳ）
５１　Ｗｅｂ端末
【図１】
2004140547.tif 000003
【図２】
2004140547.tif 000004
【図３】
2004140547.tif 000005
【図４】
2004140547.tif 000006
【図５】
2004140547.tif 000007
【図６】
2004140547.tif 000008
【図７】
2004140547.tif 000009
【図８】
2004140547.tif 000010
【図９】
2004140547.tif 000011
【図１０】
2004140547.tif 000012
【図１１】
2004140547.tif 000013
【図１２】
2004140547.tif 000014
【図１３】
2004140547.tif 000015
【図１４】
2004140547.tif 000016
【図１５】
2004140547.tif 000017
【図１６】
2004140547.tif 000018
【図１７】
2004140547.tif 000019
【図１８】
2004140547.tif 000020
【図１９】
2004140547.tif 000021
【図２０】
2004140547.tif 000022
【図２１】
2004140547.tif 000023
【図２２】
2004140547.tif 000024
【図２３】
2004140547.tif 000025